【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
被写体に対して複数の視点から撮像された多視点画像を符号化する撮像装置であって、
前記複数の視点ごとの撮像において設定された露出に関するパラメータを用いて撮像する撮像手段と、
前記撮像手段によって撮像された画像のうち、前記複数の視点ごとの撮像において設定された前記露出に関するパラメータに基づいて選択された参照画像を用いて、前記撮像された画像のうちの符号化対象画像を符号化する符号化手段と
を有することを特徴とする撮像装置。
【請求項２】
さらに、前記複数の視点ごとの撮像において設定された露出に関するパラメータのうち、前記符号化対象画像の撮像に用いられた露出に関するパラメータに、より近い値である露出に関するパラメータを用いて撮像された画像を、前記参照画像として選択する選択手段を有し、
前記符号化手段は、前記選択手段によって選択された前記参照画像を用いて、前記符号化対象画像を符号化することを特徴とする請求項１に記載の撮像装置。
【請求項３】
さらに、前記露出に関するパラメータと、前記符号化対象画像の撮像に用いられたフォーカス位置に関するパラメータとに基づいて、前記参照画像を選択する選択手段を有し、
前記符号化手段は、前記選択手段によって選択された前記参照画像を用いて、前記符号化対象画像を符号化することを特徴とする請求項１に記載の撮像装置。
【請求項４】
さらに、前記露出に関するパラメータと、前記符号化対象画像を撮像した視点と前記撮像された画像のうちの前記符号化対象画像以外の画像を撮像した視点との差である視差とに基づいて、前記参照画像を選択する選択手段を有し、
前記符号化手段は、前記選択手段によって選択された前記参照画像を用いて、前記符号化対象画像を符号化することを特徴とする請求項１に記載の撮像装置。
【請求項５】
前記選択手段は、前記視差が所定の範囲内にある視点で撮像された画像を前記参照画像として選択することを特徴とする請求項４に記載の撮像装置。
【請求項６】
さらに、前記視差が所定の範囲内にある視点で撮像された画像であるか否かを判定する第１の判定手段と、
前記第１の判定手段によって前記視差が所定の範囲内にある視差で撮像された画像であると判定された場合に、前記視差が所定の範囲内にある視差で撮像された画像の撮像に用いられた露出に関するパラメータが、前記符号化対象画像の撮像に用いられた露出に関するパラメータに、より近い値であるか否かを判定する第２の判定手段と
を有し、
前記選択手段は、前記第１の判定手段及び前記第２の判定手段による判定結果に基づいて、前記参照画像を選択することを特徴とする請求項４に記載の撮像装置。
【請求項７】
前記第２の判定手段は、
前記視差が小さい画像から順に、前記視差が所定の範囲内にある視差で撮像された前記画像の撮像に用いられた露出に関するパラメータが、前記符号化対象画像の撮像に用いられた露出に関するパラメータに、より近い値であるか否かを判定することを特徴とする請求項６に記載の撮像装置。
【請求項８】
前記視差は、前記複数の視点間の距離に基づくことを特徴とする請求項４乃至請求項７に記載の撮像装置。
【請求項９】
さらに、前記複数の視点ごとの撮像において設定された前記露出に関するパラメータである露光時間、絞り、レンズの明るさ、センサの感度の少なくとも一つに基づいて、前記参照画像を選択する選択手段を有し、
前記符号化手段は、前記選択手段によって選択された前記参照画像を用いて、前記符号化対象画像を符号化することを特徴とする請求項１に記載の撮像装置。
【請求項１０】
前記撮像装置は、複数の撮像素子を有し、前記複数の撮像素子を用いて前記被写体に対して前記複数の視点から撮像された前記多視点画像を符号化することを特徴とする請求項１に記載の撮像装置。
【請求項１１】
前記符号化手段は、前記撮像手段によって前記符号化対象画像を撮像した視点とは異なる視点で撮像された画像である前記参照画像を用いて、前記符号化対象画像にフレーム間予測符号化を施すことを特徴とする請求項１に記載の撮像装置。
【請求項１２】
被写体に対して複数の視点から撮像された多視点画像を符号化する撮像装置であって、
前記複数の視点ごとの撮像において設定されたフォーカス位置に関するパラメータを用いて撮像する撮像手段と、
前記撮像手段によって撮像された画像のうち、前記複数の視点ごとの撮像において設定された前記フォーカス位置に関するパラメータに基づいて選択された参照画像を用いて、前記撮像された画像のうちの符号化対象画像を符号化する符号化手段
とを有することを特徴とする撮像装置。
【請求項１３】
被写体に対して複数の視点から撮像された多視点画像を符号化する撮像装置であって、
前記複数の視点ごとの撮像において設定された視点で撮像する撮像手段と、
前記撮像手段によって撮像された画像のうち、符号化対象画像を撮像した視点と前記符号化対象画像を撮像した視点以外の視点との差である視差に基づいて選択された参照画像を用いて、前記撮像された画像のうちの符号化対象画像にフレーム間予測符号化を施す符号化手段
を有することを特徴とする撮像装置。
【請求項１４】
被写体に対して複数の視点から撮像された多視点画像を符号化する画像符号化装置であって、
前記複数の視点ごとの撮像において設定された露出に関するパラメータを用いて撮像された画像を入力する入力手段と、
前記入力手段によって入力された画像のうち、前記複数の視点ごとの撮像において設定された前記露出に関するパラメータに基づいて選択された参照画像を用いて、前記入力された画像のうちの符号化対象画像を符号化する符号化手段と
を有することを特徴とする画像符号化装置。
【請求項１５】
被写体に対して複数の視点から多視点画像を撮像する撮像装置における前記多視点画像の符号化方法であって、
前記複数の視点ごとの撮像において設定された露出に関するパラメータを用いて撮像する撮像工程と、
前記撮像工程によって撮像された画像のうち、前記複数の視点ごとの撮像において設定された前記露出に関するパラメータに基づいて選択された参照画像を用いて、前記撮像された画像のうちの符号化対象画像を符号化する符号化工程
を有することを特徴とする符号化方法。
【請求項１６】
被写体に対して複数の視点から撮像された多視点画像を符号化する撮像装置における前記多視点画像の符号化方法であって、
前記複数の視点ごとの撮像において設定されたフォーカス位置に関するパラメータを用いて撮像する撮像工程と、
前記撮像工程によって撮像された画像のうち、前記複数の視点ごとの撮像において設定された前記フォーカス位置に関するパラメータに基づいて選択された参照画像を用いて、前記撮像された画像のうちの符号化対象画像を符号化する符号化工程
とを有することを特徴とする撮像装置。
【請求項１７】
被写体に対して複数の視点から撮像された多視点画像を符号化する撮像装置における前記多視点画像の符号化方法であって、
前記複数の視点ごとの撮像において設定された視点で撮像する撮像工程と、
前記撮像工程によって撮像された画像のうち、符号化対象画像を撮像した視点と前記符号化対象画像を撮像した視点以外の視点との差である視差に基づいて選択された参照画像を用いて、前記撮像された画像のうちの符号化対象画像にフレーム間予測符号化を施す符号化工程と
を有することを特徴とする撮像装置。
【請求項１８】
被写体に対して複数の視点から撮像された多視点画像を符号化する画像符号化方法であって、
前記複数の視点ごとの撮像において設定された露出に関するパラメータを用いて撮像された画像を入力する入力工程と、
前記入力工程によって入力された画像のうち、前記複数の視点ごとの撮像において設定された前記露出に関するパラメータに基づいて選択された参照画像を用いて、前記入力された画像のうちの符号化対象画像を符号化する符号化工程
を有することを特徴とする画像符号化方法。
【請求項１９】
コンピュータが読みだして実行することにより、前記コンピュータを請求項１乃至請求項１３のいずれか一項に記載の撮像装置として機能させることを特徴とするプログラム。
【請求項２０】
コンピュータが読みだして実行することにより、前記コンピュータを請求項１４に記載の画像符号化装置として機能させることを特徴とするプログラム。
【手続補正２】
【補正対象書類名】明細書
【補正対象項目名】０００８
【補正方法】変更
【補正の内容】
【０００８】
上述課題を解決するため、本発明の画像符号化装置は以下の構成を有する。即ち、被写体に対して複数の視点から撮像された多視点画像を符号化する撮像装置であって、前記複数の視点ごとの撮像において設定された露出に関するパラメータを用いて撮像する撮像手段と、前記撮像手段によって撮像された画像のうち、前記複数の視点ごとの撮像において設定された前記露出に関するパラメータに基づいて選択された参照画像を用いて、前記撮像された画像のうちの符号化対象画像を符号化する符号化手段とを有する。
また、本発明の画像復号装置は以下の構成を備える。即ち、被写体に対して複数の視点から撮像された多視点画像を符号化する画像符号化装置であって、
前記複数の視点ごとの撮像において設定された露出に関するパラメータを用いて撮像された画像を入力する入力手段と、前記入力手段によって入力された画像のうち、前記複数の視点ごとの撮像において設定された前記露出に関するパラメータに基づいて選択された参照画像を用いて、前記入力された画像のうちの符号化対象画像を符号化する符号化手段とを有する。